(57)【特許請求の範囲】
【請求項１】
カメラフィルタアダプタのためのキットであって、前記キットは、
第１のフィルタ保持具であって、フィルタ保持部と、前記フィルタ保持部とは反対側にある第１の接続部とを有し、前記フィルタ保持部は第１のカメラフィルタを保持するように構成されている、第１のフィルタ保持具と、
レンズ係合具であって、レンズ結合部と、前記レンズ結合部とは反対側にある第２の接続部とを有し、前記レンズ結合部はカメラレンズに結合されるように構成されており、前記結合のために前記レンズ結合部のレンズ結合直径が規定され、前記第２の接続部は、前記フィルタ保持具の前記第１の接続部と接続して、前記第１の接続部との係合を形成するように構成されており、前記接続のために前記レンズ結合直径よりも大きい接続直径が規定される、レンズ係合具と
を備え、
前記レンズ係合具は、
半径方向に延在する第１の係合部材を少なくとも有する第１の円弧部材と、
半径方向に延在する第２の係合部材を少なくとも有し、前記第１の円弧部材に枢動可能に取り付けられている第２の円弧部材と
を備え、
結合構成では、前記第１の円弧部材および前記第２の円弧部材は略同一平面上となり、半径方向に延在する前記第１および第２の係合部材は、前記第１の係合部材と前記第２の係合部材との間に、前記レンズ結合直径に概ね一致する第１の距離を規定し、
解放構成では、前記第１の円弧部材は、前記第２の円弧部材に対して側方に向けられ、半径方向に延在する前記第１および第２の係合部材は、前記第１の係合部材と前記第２の係合部材との間に、前記レンズ結合直径よりも小さい第２の距離を規定する、
キット。
【請求項２】
前記第１の接続部は、前記第２の接続部との解放可能なロック係合を形成する、請求項１に記載のキット。
【請求項３】
前記レンズ結合直径は、前記カメラレンズの直径によって規定される、請求項１または２に記載のキット。
【請求項４】
前記接続直径は、前記レンズ結合直径よりも前記レンズ結合直径の少なくとも１０パーセント大きい、請求項１〜３のいずれか一項に記載のキット。
【請求項５】
前記カメラフィルタの前記保持のために前記フィルタ保持部のフィルタ取付直径が規定され、
前記接続直径は、前記フィルタ取付直径よりも大きい、
請求項１〜４のいずれか一項に記載のキット。
【請求項６】
前記接続直径は、前記フィルタ取付直径よりも前記フィルタ取付直径の少なくとも１０％大きい、請求項５に記載のキット。
【請求項７】
前記結合構成では、半径方向に延在する前記第１および第２の係合部材が前記レンズの雌ねじ部に係合し、それによって前記レンズ係合具を前記カメラレンズにロックし、
前記解放構成では、半径方向に延在する前記第１および第２の係合部材のうちの少なくとも１つは、前記カメラレンズの前記雌ねじ部から係合解除される、
請求項１〜６のいずれか一項に記載のキット。
【請求項８】
前記レンズ係合具の前記第２の接続部は、前記フィルタ保持具の前記第１の接続部と協働するように構成された半径方向に延在する複数の係合タブを備え、
前記フィルタ保持具の前記第１の接続部は、軸線方向に延在する環状壁を備え、前記環状壁には、前記レンズ係合具の前記第２の接続部の前記複数の係合タブを受け入れるための１つまたは複数のスロットが形成されている、
請求項１〜７のいずれか一項に記載のキット。
【請求項９】
前記フィルタ保持具の前記第１の接続部は、角度的に配分された第１の組の磁気要素を備え、
前記レンズ係合具の前記第２の接続部は、前記レンズ係合具が前記フィルタ保持具とロック係合しているときに前記第１の組の磁気要素と係合するように構成された、角度的に配分された第２の組の磁気要素を備える、
請求項１〜８のいずれか一項に記載のキット。
【請求項１０】
前記第１のカメラフィルタの前記保持のために前記第１のフィルタ保持具の前記フィルタ保持部の第１のフィルタ取付直径が規定され、
前記キットは、フィルタ保持部と、前記フィルタ保持部とは反対側にある接続部とを有する第２のフィルタ保持具をさらに備え、前記フィルタ保持部は、第２のカメラフィルタを保持するように構成されており、前記保持のために前記第２のフィルタ保持具の前記フィルタ保持部の第２のフィルタ取付直径が規定され、
前記レンズ係合具の前記接続部は、前記第１のフィルタ保持具の前記接続部と前記第２のフィルタ保持具の前記接続部とに選択的に接続するように構成されており、
前記第１のフィルタ取付直径と前記第２のフィルタ取付直径とは異なる、
請求項１〜９のいずれか一項に記載のキット。
【請求項１１】
レンズ係合具であって、
カメラレンズに結合されるように構成されており、前記結合のためにレンズ結合直径が規定される、レンズ結合部と、
前記レンズ結合部とは反対側にあり、カメラフィルタを保持するためのフィルタ保持具との係合を形成するように構成されており、前記係合のために前記レンズ結合直径よりも大きい接続直径が規定される、接続部と
を備え、
前記レンズ係合具は、
半径方向に延在する第１の係合部材を少なくとも有する第１の円弧部材と、
半径方向に延在する第２の係合部材を少なくとも有し、前記第１の円弧部材に枢動可能に取り付けられている第２の円弧部材と
を備え、
結合構成では、前記第１の円弧部材および前記第２の円弧部材は略同一平面上となり、半径方向に延在する前記第１および第２の係合部材は、前記第１の係合部材と前記第２の係合部材との間に、前記レンズ結合直径に概ね一致する第１の距離を規定し、
解放構成では、前記第１の円弧部材は、前記第２の円弧部材に対して側方に向けられ、半径方向に延在する前記第１および第２の係合部材は、前記第１の係合部材と前記第２の係合部材との間に、前記レンズ結合直径よりも小さい第２の距離を規定する、
レンズ係合具。
【請求項１２】
カメラレンズにカメラフィルタを取り付ける方法であって、
第１のフィルタ保持具であって、フィルタ保持部と、前記フィルタ保持部とは反対側にある第１の接続部とを有し、前記フィルタ保持部はカメラフィルタを保持するように構成されている、第１のフィルタ保持具を用意するステップと、
レンズ係合具であって、レンズ結合部と、前記レンズ結合部とは反対側にある第２の接続部とを有し、前記レンズ結合部はカメラレンズに結合されるように構成されており、前記第２の接続部は、前記フィルタ保持具の前記第１の接続部と接続して、前記第１の接続部との係合を形成するように構成されている、レンズ係合具を用意するステップと、
前記フィルタ保持部への前記カメラフィルタの係合によって、前記カメラフィルタを前記第１のフィルタ保持具に取り付けるステップと、
前記レンズ結合部への前記カメラレンズの結合によって、前記レンズ係合具を前記カメラレンズに取り付けるステップと、
前記第２の接続部への前記第１の接続部の係合によって、前記第１のフィルタ保持具を前記レンズ係合具に係合させるステップであって、前記第１のフィルタ保持具と前記レンズ係合具との間の前記係合のために、前記カメラレンズのレンズ直径よりも大きい接続直径が規定される、ステップと
を含み、
前記接続直径は、前記カメラフィルタのフィルタ直径よりも大きい、方法。
【請求項１３】
第２のフィルタ保持具であって、フィルタ保持部と、前記第２のフィルタ保持具の前記フィルタ保持部とは反対側にある接続部とを有する第２のフィルタ保持具をさらに備え、前記第２のフィルタ保持具の前記フィルタ保持部は、別のカメラフィルタを保持するように構成されている、第２のフィルタ保持具を用意するステップと、
前記第２のフィルタ保持具の前記フィルタ保持部への前記別のカメラフィルタの係合によって、前記別のカメラフィルタを前記第２のフィルタ保持具に取り付けるステップと、
前記レンズ係合具の前記第２の接続部から前記第１のフィルタ保持具の前記第１の接続部を係合解除して、前記第１のフィルタ保持具を前記レンズ係合具から係合解除するステップと、
前記レンズ係合具の前記第２の接続部への前記第２のフィルタ保持具の前記接続部の係合によって、前記第２のフィルタ保持具を前記レンズ係合具にロック係合させるステップであって、前記第２のフィルタ保持具と前記レンズ係合具との間の前記ロック係合のために、前記レンズ係合具への前記第１のフィルタ保持具の前記ロック係合のために規定される前記接続直径に等しい別の接続直径が規定される、ステップと
をさらに含み、
前記カメラフィルタのフィルタ直径は、前記別のカメラフィルタのフィルタ直径とは異なる、
請求項１２に記載の方法。
【請求項１４】
前記レンズ係合具の前記カメラレンズへの取り付けは、前記第１のフィルタ保持具を係合解除し、前記第２のフィルタ保持具とロック係合する間、維持される、請求項１３に記載の方法。
【発明の詳細な説明】
【技術分野】
【０００１】
[0001]関連する特許出願
本出願は、２０１５年１２月２３日に出願された「ＵＮＩＶＥＲＳＡＬ  ＳＹＳＴＥＭ  ＯＦ  ＰＨＯＴＯ  ＦＩＬＴＥＲ  ＡＤＡＰＴＩＶＥ  ＭＡＧＮＥＴＩＣ  ＲＩＮＧＳ」という名称の米国仮特許出願第６２／３８７，０７６号の優先権を主張し、上記開示は全体として参照により本明細書に組み込まれる。
【０００２】
[0002]本開示は、一般に、写真およびビデオグラフィーのための付属品に関し、より詳細には、カメラフィルタを取り付けるためのアダプタキットに関する。
【背景技術】
【０００３】
[0003]写真およびビデオグラフィーでは、カメラフィルタは、カメラレンズと撮影されるシーンとの間の光路に沿ってカメラレンズの上に配置される付属品である。通常、カメラフィルタは、カメラフィルタを通過する光の特性を変更する材料で形成される。しかしながら、いくつかのカメラフィルタは、光の特性を略維持することを意図されており、レンズを保護するために使用することができる。カメラフィルタの種類には、ニュートラルデンシティフィルタ、偏光フィルタ、カラーフィルタなどがある。異なるカメラレンズが異なるサイズで提供されるので、カメラフィルタもまた、カメラレンズサイズに合わせて異なるサイズで提供される。
【０００４】
[0004]通常、カメラフィルタは、カメラレンズの前面の協働するねじにカメラフィルタをねじ込むことなどによって、カメラレンズに直接取り付けられる。カメラを操作する際に、ユーザ（撮影者またはカメラマン）は、異なるシーンを撮影するために、異なるカメラレンズおよび異なるカメラフィルタを使用することを選択することができる。このため、ユーザはレンズを繰り返し交換し、意図した用途に応じてフィルタを交換する必要がある。
【発明の概要】
【０００５】
[0005]一態様によれば、カメラフィルタアダプタのためのキットは、フィルタ保持部と、フィルタ保持部とは反対側にある第１の接続部と、を有し、フィルタ保持部は第１のカメラフィルタを保持するように構成される、第１のフィルタ保持具と、レンズ結合部と、レンズ結合部とは反対側にある第２の接続部と、を有し、レンズ結合部はカメラレンズに結合されるように構成される、レンズ係合具であって、結合のためにレンズ結合部のレンズ結合直径が規定され、第２の接続部は、フィルタ保持具の第１の接続部と接続して、第１の接続部との係合を形成するように構成され、接続のためにレンズ結合直径より大きい接続直径が規定される、レンズ係合具と、を備える。
【０００６】
[0006]別の態様によれば、フィルタ保持具は、カメラフィルタを保持するように構成され、保持のためにフィルタ保持部のフィルタ取付（mount）直径が規定される、フィルタ保持部と、フィルタ保持部とは反対側にあり、カメラレンズを係合するためのレンズ係合具との係合を形成するように構成され、ロック係合のためにフィルタ取付直径より大きい接続直径が規定される、接続部と、を備える。
【０００７】
[0007]さらに別の態様によれば、レンズ係合具は、カメラレンズに結合されるように構成され、結合のためにレンズ結合直径が規定される、レンズ結合部と、レンズ結合部とは反対側にあり、カメラフィルタを保持するためのフィルタ保持具との係合を形成するように構成され、ロック係合のためにレンズ結合直径より大きい接続直径が規定される、接続部と、を備える。
【０００８】
[0008]さらに別の態様によれば、カメラレンズにカメラフィルタを取り付ける方法は、カメラフィルタを第１のフィルタ保持具に取り付けるステップと、レンズ係合具をカメラレンズに取り付けるステップと、第１のフィルタ保持具をレンズ係合具に係合させるステップであって、第１のフィルタ保持具とレンズ係合具との間の係合のために、カメラレンズのレンズ直径より大きい接続直径が規定される、ステップと、を含む。
【０００９】
[0009]本明細書に記載された実施形態をよりよく理解し、それらがどのように実施されるかをより明確に示すために、ここで、単なる例として、少なくとも１つの例示的な実施形態を示す添付の図面を参照する。
【図面の簡単な説明】
【００１０】
【図１】１つの例示的な実施形態によるアダプタキットの上面斜視図であり、キットはレンズ係合具およびフィルタ保持具を有する。
【図２】例示的な実施形態によるアダプタキットの底面斜視図である。
【図３】例示的な実施形態によるアダプタキットの上面平面図である。
【図４】例示的な実施形態によるアダプタキットの底面平面図である。
【図５】レンズ係合具が結合構成にある例示的な実施形態によるアダプタキットの立面図である。
【図６】レンズ係合具が解放構成にある例示的な実施形態によるアダプタキットの上面斜視図である。
【図７】レンズ係合具が解放構成にある例示的な実施形態によるアダプタキットの底面斜視図である。
【図８】レンズ係合具が解放構成にある例示的な実施形態によるアダプタキットの立面図である。
【図９Ａ】例示的な実施形態によるレンズ係合具の第１の円弧部材の底面平面図である。
【図９Ｂ】レンズ係合具の第１の円弧部材の一部の拡大図である。
【図９Ｃ】図９Ａの線Ａに沿った断面図である。
【図９Ｄ】図９Ａの線Ｂに沿った断面図である。
【図９Ｅ】図９Ａの線Ｃに沿った断面図である。
【図９Ｆ】図９Ａの線Ｄに沿った断面図である。
【図１０Ａ】例示的な実施形態によるレンズ係合具の下部円弧部材の底面平面図である。
【図１０Ｂ】レンズ係合具の下部円弧部材の一部の拡大図である。
【図１０Ｃ】図１０Ａの線Ａに沿った断面図である。
【図１０Ｄ】図１０Ａの線Ｂに沿った断面図である。
【図１０Ｅ】図１０Ａの線Ｃに沿った断面図である。
【図１０Ｆ】図１０Ａの線Ｄに沿った断面図である。
【図１１Ａ】例示的な実施形態によるフィルタ保持具の底面平面図である。
【図１１Ｂ】図１１Ａの線Ａに沿った断面図である。
【図１１Ｃ】図１１Ａの線Ｂに沿った断面図である。
【図１１Ｄ】図１１Ａの線Ｃに沿った断面図である。
【図１１Ｅ】図１１Ａの線Ｄに沿った断面図である。
【図１１Ｆ】図１１Ａの線Ｅに沿った断面図である。
【図１２】本発明の一実施形態による、カメラフィルタを取り付けてカメラレンズに取り付けるために位置合わせされた、典型的なカメラレンズ、フィルタ保持具、レンズ係合具、およびカメラフィルタの正面斜視分解図である。
【図１３】例示的な実施形態による、カメラフィルタを取り付けてカメラレンズに取り付けるために位置合わせされた、フィルタ保持具およびレンズ係合具の正面分解図である。
【図１４】例示的な実施形態による、カメラフィルタを取り付けてカメラレンズに取り付けるために位置合わせされた、フィルタ保持具およびレンズ係合具の背面分解図である。
【図１５】カメラフィルタが取り付けられ、カメラレンズに取り付けられたフィルタ保持具およびレンズ係合具を示す正面斜視図である。
【図１６】カメラフィルタが取り付けられ、カメラレンズに取り付けられたフィルタ保持具およびレンズ係合具を示す背面斜視図である。
【図１７】カメラフィルタが取り付けられ、カメラレンズに取り付けられたフィルタ保持具およびレンズ係合具を示すＦ−Ｆ方向の断面図である。  [0042]説明を簡単かつ明瞭にするために、図面に示される要素は、必ずしも一定の縮尺で描かれていないことを理解されたい。例えば、要素のうちのいくつかの寸法は、明瞭にするために他の要素に対して誇張されていることがある。
【発明を実施するための形態】
【００１１】
[0043]適切であると考えられる場合には、図を簡潔かつ明瞭にするために、対応するまたは類似の要素またはステップを示すために符号を図面間で繰り返すことができることが理解されよう。さらに、本明細書に記載される例示的な実施形態の完全な理解を提供するために、多数の特定の詳細が記載されている。しかしながら、当業者には、本明細書に記載された実施形態は、これらの特定の詳細なしで実施することができることが理解されよう。他の例では、周知の方法、手順、および構成要素は、本明細書に記載された実施形態を不明瞭にしないように、詳細には記載されていない。さらに、この説明は、本明細書に記載された実施形態の範囲を決して限定するものではなく、単に本明細書に記載の様々な実施形態の実施を説明するものとみなされるべきである。
【００１２】
[0044]ここで図１〜図５を参照すると、例示的な実施形態によるカメラフィルタアダプタキット１の上面斜視図、底面斜視図、上面平面図、および底面平面図および立面図がそれぞれ示されている。カメラフィルタアダプタキット１は、レンズ係合具８およびフィルタ保持具１６を含む。レンズ係合具８は、カメラレンズと係合してカメラレンズに取り付けられるように動作可能である。フィルタ保持具１６は、カメラフィルタが取り付けられるように動作可能である。レンズ係合具８およびフィルタ保持具１６は、それらの間に係合を形成するように互いに接続するようにさらに構成される。係合はロック係合であってもよい。ロック係合を形成した後に、レンズ係合具８およびフィルタ保持具１６の一方または両方を操作することによって、レンズ係合具８およびフィルタ保持具１６をさらに互いに解放することができる。
【００１３】
[0045]ここで図５を参照すると、フィルタ保持具１６は、フィルタ保持部２４と、アダプタキット１の第１の接続部であり得る接続部３２と、を含む。レンズ係合具８は、レンズ結合部４０と、アダプタキット１の第２の接続部であり得る接続部４８と、を含む。
【００１４】
[0046]例えば、図示するように、フィルタ保持部２４は、フィルタ保持具１６の上部に対応し、第１の接続部３２は、上部とは反対側に位置するフィルタ保持具１６の下部に対応する。フィルタ保持具１６が略環状部材である場合に、フィルタ保持部２４は第１の環状サブ部材を形成し、接続部３２は第２の環状サブ部材を形成してもよい。フィルタ保持具１６とフィルタ保持部２４とは、一体的に形成されてもよい。
【００１５】
[0047]フィルタ保持部２４は、カメラフィルタの保持を提供する。カメラフィルタの保持のためにフィルタ保持部２４のフィルタ取付直径５６が規定される。例えば、図示するように、カメラフィルタは、フィルタリング部（例えば、ガラスまたは同様の材料）を支持する円形リムを有する円形フィルタである。カメラフィルタは、フィルタ保持部２４の雌ねじ部６４に螺合している雄ねじ部を有していてもよく、円周方向のねじ係合が形成され、フィルタ保持部２４によってカメラフィルタが保持される。このねじ係合は、標準円形カメラフィルタの雄ねじ部を受け入れる雌ねじ部を有する標準カメラレンズのねじ係合と同じであることが理解されるであろう。保持部２４のフィルタ取付直径５６は、カメラフィルタの雄ねじ部の直径と同じであり、カメラフィルタの直径をさらに規定する。
【００１６】
[0048]円形カメラフィルタが図示されているが、フィルタ保持部２４がガラス片（例えば、支持リムなし）であるカメラフィルタをクリップするような、カメラフィルタを保持する他の機構が適用されてもよいことが理解されよう。
【００１７】
[0049]例示的な一実施形態によれば、図示するように、フィルタ保持部２４は、フィルタ保持部２４の上面６６から上方に延在する円周リム６５をさらに含む。少なくとも２つの係合タブ６７が円周リム６５から半径方向外向きに延在する。例えば、図示するように、係合タブ６７は、互いに反対側に配置される。係合タブ６７は、円周リム６５の円弧に沿ってそれぞれ延びていてもよい。図１１Ｄおよび図１１Ｅに示すように、係合タブ６７は、フィルタ保持部２４の上面６６に間隙６８を規定する。第２のカメラフィルタまたはレンズフードなどのカメラ付属品は、係合タブ６７との係合を介してフィルタ保持部２４に取り付けられてもよい。例えば、カメラ付属品のロック要素を間隙６８内に収容することができる。雌ねじ部６４を介してカメラフィルタを取り付けることに加えて、カメラ付属品を取り付けることができる。
【００１８】
[0050]レンズ結合部４０は、カメラレンズの前面に結合するように構成されており、レンズ係合具８がカメラレンズに装着される。レンズ結合部４０のカメラレンズへの結合のために、レンズ結合部４０のレンズ結合直径７２が規定される。例えば、カメラレンズは、その前部に雌ねじ部を有する円形であってもよい。レンズ結合部４０は、カメラレンズに装着されるように雌ねじ部と係合するレンズ係合部材７６を有する。例えば、レンズ結合部４０は、カメラレンズの雌ねじ部に螺合する雄ねじ部を有する。
【００１９】
[0051]一例によれば、以下に図示され説明するように、レンズ結合部４０は、カメラレンズの雌ねじ部に係合する半径方向に延在する係合タブ７６を含む。
【００２０】
[0052]レンズ結合直径７２は、レンズ結合部４０の係合部材によって規定され、カメラレンズの雌ねじ部の直径と同じであり、カメラレンズの直径をさらに規定する。
【００２１】
[0053]フィルタ保持具１６の第１の接続部３２とレンズ係合具８の第２の接続部４８とが協働して、フィルタ保持具１６とレンズ係合具８とのロック係合を形成する。これらの間にロック係合を形成した後に、フィルタ保持具１６の第１の接続部３２とレンズ係合具８の第２の接続部４８は、フィルタ保持具１６とレンズ係合具８の一方または両方に力を加えることによって互いに解放することができる。本明細書の他の箇所に記載されているように、レンズ係合具８およびフィルタ保持具１６を解放するための力は、回転（例えば、ねじり力）を含むことができる。
【００２２】
[0054]フィルタ保持具１６の第１の接続部３２とレンズ係合具８の第２の接続部４８とのロック係合のために、接続直径８０が規定される。より具体的には、接続直径８０は、相互ロック係合を提供するために第２の接続部４８の一部と協働する第１の接続部３２の一部によって規定される。
【００２３】
[0055]例示的な一実施形態によれば、図１〜図６に示すように、第２の接続部４８は略円形であり、半径方向外側に延在する複数の係合タブ８８を含む。係合タブ８８は、互いに正反対に配置されてもよい。断面図を示す図９Ｅに示すように、半径方向に延在する係合タブ８８は面取りされていてもよい。さらに、図７および図１１Ｂ〜図１１Ｆに示すように、フィルタ保持具１６の第１の接続部３２は、軸方向１０４に延在する内側側壁９６を有する。１つまたは複数のスロット１１２が、内側側壁９６に形成され、外側方向に延在する。スロットは、直径方向で互いに反対側に配置されてもよい。スロット１１２は、レンズ係合具８の第２の接続部４８の複数の半径方向に延在する係合タブ８８を受け入れる大きさである。スロット１１２内に受け入れられる半径方向に延在する係合タブ８８は、フィルタ保持具１６の第１の接続部３２とレンズ係合具８の第２の接続部４８とのロック係合を形成する。レンズ係合具８とフィルタ保持具１６の一方または両方に軸方向の力が加えられると、半径方向に延在する係合タブ８８はスロット１１２を規定する側壁９６の部分の上側リップ１２０に当接し、レンズ係合具８とフィルタ保持具１６が互いに分離することを防止する。第１の接続部３２の反対の位置のスロット１１２間の距離に一致する、第２の接続部４８の反対に配置された係合タブ８８間の距離は、接続直径８０を規定する。
【００２４】
[0056]図示された例では、フィルタ保持具１６の第１の接続部３２とレンズ係合具８の第２の接続部４８との円周方向の係合から接続直径８０が規定されているが、他の例示的な実施形態では、接続直径８０は、その非円周方向の係合によって規定されてもよい。
【００２５】
[0057]図１〜図６を参照すると、半径方向外向きに延在する係合タブ８８のために、第２の接続部４８は、わずかに長方形であってもよく、互いに反対側に位置する半径方向に延在する係合タブ８８の外縁間の第１の距離が、（係合タブ８８から９０度ずれた部分のような）係合タブを有さない第２の接続部４８の反対側の外縁間の第２の距離よりも大きい。
【００２６】
[0058]同様に、図４に戻って参照すると、フィルタ保持具１６の接続部３２の内側側壁９６によって規定された円周は、わずかに長方形であってもよく、スロット１１２が形成されていない内側側壁９６の互いに反対側にある内縁間の第３の距離は、互いに反対側に位置するスロット１１２の内縁間の第４の距離よりも大きい。さらに、スロット１１２が形成されていない内側側壁９６の互いに反対側にある内縁間の距離は、第２の接続部４８の半径方向に延在する互いに反対側にある係合タブ８８の外縁間の距離に概ね一致してもよい。
【００２７】
[0059]したがって、ロック係合を形成するために、第２の接続部４８は、第１の接続部３２内に受け入れられ、半径方向に延在する係合タブ８８（第１の距離を規定する）が、スロット１１２が形成されていない反対側の内縁側壁９６と最初に位置合わせされる（第３の距離を規定する）。この第１の位置合わせは、第１の接続部３２の下側の第１の組の視覚マーキング１２８と、第２の接続部４８の上側の視覚マーキング１３６の第２の組との位置合わせによって示される。視覚マーキング１２８の第１の組はまた、操作を容易にするためにフィルタ保持具１６に設けられた突出タブ１４４に対応することができる。
【００２８】
[0060]第１の位置合わせを形成した後に、レンズフィルタ保持具１６およびレンズ係合具８の一方または両方を回転させて半径方向に延在する係合タブ８８をスロット１１２内に案内してロック係合を形成し、これは第１および第２の接続部３２、４８の第２の位置合わせに対応する。反対方向への回転の適用は、第１の位置合わせに戻り、それによって第１の接続部３２と第２の接続部４８は、互いに係合解除され得る。
【００２９】
[0061]例示的な実施形態によれば、図に示すように、第１の組の磁気要素１５８が第１の接続部３２の周りに角度的に配分され、第２の組の磁気要素１６０が第２の接続部４８の周りに角度的に配分される。第１および第２の組の磁気要素１５８、１６０は、半径方向に延在するタブ８８がスロット１１２に受け入れられているときに相互磁気結合を形成するように配置される。この磁気結合は、レンズ係合具８からのフィルタ保持具１１６の偶発的な係合解除を低減することができる。フィルタ保持具１６およびレンズ係合具８の一方または両方を第１の位置合わせまで回転させて互いに係合解除するために、第１および第２の組の磁石１５８、１６０の磁気吸引力に打ち勝つのに十分な角度の力が印加されなければならないことが理解されよう。
【００３０】
[0062]例示的な一実施形態では、図示するように、追加の磁気要素は、第１の接続部３２と第２の接続部４８の一方または両方に角度をなして分布していてもよい。追加の磁気要素は、第１の位置合わせが形成されるときに磁気結合を提供するように配置され、レンズ係合具８およびフィルタ保持具１６の一方または両方が回転して相互ロック係合を形成するように適切に配置されていることを示す触覚フィードバックをユーザに提供する。
【００３１】
[0063]１つの例示的な実施形態によれば、図１〜図１０Ｆに示すように、レンズ係合具８は、第１の円弧部材１７６と、第１の円弧部材１７６に旋回可能に取り付けられた第２の円弧部材１８４とを含む。少なくとも第１の係合部材７６が第１の円弧部材１７６上に配置され、少なくとも第２の係合部材７６が第２の円弧部材１８４上に配置される。第１の円弧部材１７６は、図示するように環状部材であってもよい。
【００３２】
[0064]レンズ結合部４０は、第２の接続部分を形成するレンズ係合具８の上部から軸方向に延在する環状壁１９２に対応する。図示するように、環状壁１９２の第１の部分は、第１の円弧部材１７６上に設けられ、環状壁１９２の第２の部分は、第２の円弧部材１８４上に設けられる。第１のレンズ係合部材７６は、第１の円弧部材の環状壁１９２の部分から半径方向に延在する。第２のレンズ係合部材７６は、第２の円弧部材１８４の環状壁１９２の部分から半径方向に延在する。
【００３３】
[0065]レンズ係合具８は、第２の円弧部材１８４が第１の円弧部材１７６と略同一平面上にある位置に旋回されるとき、結合構成にある。例えば、図１〜図５は、レンズ係合具８の結合構成を示している。結合構成において、図４および図５に最もよく示されるように、第１の円弧部材１７６上に位置する第１のレンズ係合部材７６は、第２の円弧部材１８４上に位置する第２のレンズ係合部材７６から、レンズ結合直径７２に一致する距離だけ離間している。
【００３４】
[0066]レンズ係合具８は、第２の円弧部材１８４が第１の円弧部材１７６と非ゼロの角度をなす位置に旋回されると、解放形態にある。例えば、図６〜図８は、レンズ係合具８の解除形態を示している。結合構成では、図８に最もよく示されているように、第１の円弧部材１７６上に配置された第１のレンズ係合部材７６は、第２の円弧部材上に配置された第２のレンズ係合部材７６から、結合直径７２よりも小さい距離１９６だけ離間している。
【００３５】
[0067]図示した例（図９Ａ〜９Ｆ）によれば、第１の円弧部材１７６は、より厚い半円形部分２００と、より薄い半円形部分２０８とを有する。より厚い半円形部分２００の上部は、レンズ係合具８の接続部４８を形成し、半径方向に延在する係合タブ８８を含む。より厚い半円形部分２００の下部は、環状壁１９２の一部および係合部材７６の１つを含む。より薄い半円形部分２０８は、半径方向に延在する係合タブ８８の別のものを有し、第２の円弧部材１８４の旋回運動の境界を定めるように作用する。
【００３６】
[0068]第２の円弧部材１８４（図１０Ａ〜１０Ｅ）は、より厚い半円形部分２００とより薄い半円形部分２０８との間の境界に形成された第１の円弧部材１７６のポスト２１６に旋回可能に取り付けられる。第２の円弧部材１８４の回動範囲は、第２の円弧部材１８４のより薄い半円形部分２０８に対する当接から一方の境界で制限され、第１の円弧部材１７６および第２の円弧部材１８４の各々における環状壁１９２の接触から他方の境界で制限される。図示するように、第２の円弧部材１８４の下部は、環状壁１９２の一部と係合部材７６の別の１つを含む。図示した例（図１０Ｅ）では、半径方向に延在する係合タブ８８の１つの部分が第２の円弧部材１８４に形成されている。
【００３７】
[0069]動作中、レンズ係合具８は、最初に、第２の円弧部材１８４を旋回させることによって、その解放構成にされる。係合部材７６は、カメラレンズの前壁の間にさらに配置される。第２の円弧部材１８４は、係合部材７６がカメラレンズの前壁に形成された雌ねじ部と接触するまで、反対側の係合部材７６間の距離１９６が増加したレンズ係合具８の結合構造に向かってさらに枢動する。これにより、係合部材７６がカメラレンズにロック係合する。カメラレンズの雌ねじ部は、通常、カメラフィルタを取り付けるために設けられることが理解されよう。さらに、レンズ結合部４０のレンズ結合直径は、レンズ結合直径７２に対応することが理解されよう。
【００３８】
[0070]レンズ係合具８をカメラレンズから解放するために、第２の円弧部材１８４が解放構成に向かって枢動され、それによって係合部材７６がカメラレンズの雌ねじ部から係合解除される。例えば、第１の円弧部材１７６の外縁には第１のノッチ２２４が形成され、第２の円弧部材１８４の外縁には第２のノッチ２３２が形成され、各ノッチは他方の円弧部材１８４、１７６へのアクセスを提供する。第１の円弧部材１７６および第２の円弧部材１８４は、第２の円弧部材１８４を解放構成に向けて回動させるノッチ２２４、２３２を介して、他から押し離されてもよい。
【００３９】
[0071]例示的な実施形態によれば、係合部材７６の位置における第１の円弧部材１７６の断面を示す図９Ｅおよび別の係合部材７６の位置における第２の円弧部材１８４の断面を示す図１０Ｅに示すように、各係合部材７６は一組の雄ねじ部となる。したがって、レンズ結合部４０は、結合形態であっても、係合部材７６をカメラレンズの雌ねじ部にねじ込むことによって、カメラレンズに取り付けることができる。
【００４０】
[0072]ここで図１２〜図１４を参照すると、レンズ係合具８およびフィルタ保持具１６は、カメラレンズ２４０およびカメラフィルタ２４８と位置合わせされている。カメラフィルタ２４８は、本明細書に記載された様々な例に従って、フィルタ保持具１６のフィルタ保持部２４に取り付けられる。レンズ結合部４０は、本明細書に記載された様々な例示的実施形態に従って、カメラレンズ２４０に取り付けられる。さらに、第１の保持具１６の接続部３２は、本明細書に記載の様々な例示的実施形態によるレンズ係合具８の接続部４８にロック係合される。したがって、カメラフィルタ２４８は、フィルタ保持具１６およびレンズ係合具８を介してカメラレンズ２４０に取り付けられる。
【００４１】
[0073]図１７は、フィルタ保持具１６とカメラフィルタ２４８が取り付けられ、カメラレンズ２４０に取り付けられているレンズ係合具８を示すＦ−Ｆ方向の断面図を示している。レンズ係合具８は、係合部材７６がカメラレンズ２４０の雌ねじ部に係合することによって、カメラレンズ２４０に係合される。カメラフィルタ２４８は、フィルタ保持具１６の雌ねじ部６４とカメラフィルタ２４８の雄ねじ部との係合を介してフィルタ保持具１６に取り付けられる。フィルタ保持具１６とレンズ係合具８との間にロック係合が形成される。図示の例では、接続直径８０がフィルタ直径５６とレンズ結合直径７２の両方よりも大きいことが理解されよう。さらに、フィルタ直径５６とレンズ結合直径７２は異なる（例えば、フィルタ直径５６はレンズ結合直径７２より大きい）。
【００４２】
[0074]様々な実施形態によれば、フィルタ保持具１６の第１の接続部３２とレンズ係合具８の第２の接続部４８との係合によって規定される接続直径８０は、レンズ結合直径７２より大きい。レンズ結合直径７２より大きい接続直径８０を設けることによって、カメラレンズ直径２６４とは異なるフィルタ直径２５６を有するカメラフィルタ２４８を、カメラフィルタアダプタキット１を介して取り付けることができる。例えば、フィルタ保持具１６のフィルタ保持部２４は、接続直径８０に一致する、またはフィルタ取付直径５６よりも小さいフィルタ取付直径５６を有するように構成することができる。したがって、フィルタ取付直径５６は、接続直径８０より小さくてもよい。さらに、フィルタ取付直径５６は、レンズ結合直径７２より大きくてもよい。
【００４３】
[0075]直径の差は、所与のレンズ直径２６４が所与のフィルタ直径２５６と一致することを必要とせずに（所与のレンズ直径２６４が所与のフィルタ直径２５６に等しい場合）、あるいは、レンズ直径２６４と所与のフィルタ直径２５６との間の特定の整合を提供する特定のサイズのアダプタの使用を必要とせずに（所与のレンズ直径２６４が所与のフィルタ直径２５６と異なる場合）、所与のレンズ直径２６４のカメラレンズ２４０と所与のフィルタ直径２５６のカメラフィルタ２４８との相互運用可能な使用を可能にする。カメラレンズ２４０のレンズ直径２６４より小さいフィルタ直径２５６を有するカメラフィルタ２４８が使用される場合には、捕捉された画像上に幾らかの口径食が現れることがある。
【００４４】
[0076]例えば、異なるフィルタ直径２５６を有する複数のカメラフィルタ２４８は、レンズ直径２６４に適合するレンズ結合直径７２を有するレンズ係合具８をカメラレンズ２４０に取り付けることによって、所与のレンズ直径２６４を有する単一のカメラレンズ２４０と共に使用することができる。さらに、カメラフィルタ２４８の各々は、そのカメラフィルタ２４８のフィルタ直径２５６と一致するフィルタ取付直径５６と、レンズ係合具８の接続直径と一致する接続直径とを有するフィルタ保持具１６にそれぞれ取り付けられる。レンズ係合具８およびフィルタ保持具１６の各々は、同じ接続直径８０を有することが理解されよう。したがって、フィルタ２４８のうちの１つは、フィルタ２４８のうちの１つのフィルタ保持部２４をレンズ係合具８に選択的にロック係合することによって、単一のカメラレンズ２４０とともに使用することができる。
【００４５】
[0077]同様に、所与のフィルタ直径２５６を有する所与の単一のカメラフィルタ２４８は、フィルタ直径２５６に一致するフィルタ取付直径５６を有するフィルタ保持具１６上にカメラフィルタ２４８を取り付けることによって、異なるレンズ直径２６４を有する複数のカメラレンズ２４０と共に使用することができる。さらに、カメラレンズ２４０の各々は、カメラレンズ２４０のレンズ直径２６４と一致するレンズ結合直径７２と、フィルタ保持具１６の接続直径に一致する接続直径とを有するレンズ係合具８をそれぞれその上に搭載する。レンズ係合具８およびフィルタ保持具１６の各々は、同じ接続直径８０を有することが理解されよう。したがって、使用するカメラレンズ２４０に装着されたレンズ係合具８にフィルタ保持部２４を選択的にロック係合させることにより、カメラフィルタ２４８をカメラレンズ２４０のいずれか１つに使用することができる。
【００４６】
[0078]異なる直径の複数のカメラレンズ２４０および複数のカメラフィルタ２４８が使用される場合、各カメラレンズ２４０には、そのカメラレンズ２４０のレンズ直径２６４と一致するレンズ結合直径７２を有するレンズ係合具８が取り付けられ、すべてのレンズ係合具８は、同じ接続直径を有する。同様に、各カメラフィルタ２４８は、そのカメラフィルタ２４８と一致するフィルタ取付直径５６を有するフィルタ保持具１６に取り付けられ、すべてのフィルタ保持具１６は同じ接続直径を有する。さらに、フィルタ保持具１６の接続直径は、レンズ係合具８の接続直径と同じである。すべてのレンズ係合具８とすべてのフィルタ保持具１６が接続直径８０を有しているので、いずれかのフィルタ保持具１６をいずれかのレンズ係合具８にロック係合させることができる。したがって、カメラフィルタ２４８のうちのいずれか１つは、フィルタ直径２５６およびレンズ直径２６４の違いにもかかわらず、それぞれのフィルタ保持具１６およびレンズ係合具８によって形成されるロック係合を介してカメラレンズ２４０のいずれか１つに取り付けられ得る。様々な例示的実施形態による本明細書に記載されたカメラフィルタアダプタキット１は、レンズ直径２６４の範囲にわたってカメラレンズを用いて異なる直径２５６の範囲にわたってカメラフィルタを使用できる汎用キットであることが理解されよう。
【００４７】
[0079]１つの例示的な実施形態によれば、接続直径８０は、レンズ結合直径７２より少なくとも５ｍｍ大きい。
【００４８】
[0080]１つの例示的な実施形態によれば、接続直径８０は、レンズ結合直径７２より少なくとも１５ｍｍ大きい。
【００４９】
[0081]１つの例示的な実施形態によれば、接続直径８０は、レンズ結合直径７２の少なくとも１０パーセントだけ、レンズ結合直径７２より大きい。
【００５０】
[0082]１つの例示的な実施形態によれば、接続直径８０は、レンズ結合直径７２の少なくとも２５％だけ、レンズ結合直径７２より大きい。
【００５１】
[0083]１つの例示的な実施形態によれば、接続直径８０は、フィルタ取付直径５６より少なくとも５ｍｍ大きい。
【００５２】
[0084]１つの例示的な実施形態によれば、接続直径８０は、フィルタ取付直径５６より少なくとも１５ｍｍ大きい。
【００５３】
[0085]１つの例示的な実施形態によれば、接続直径８０は、フィルタ取付直径５６の少なくとも１０％だけ、フィルタ取付直径５６よりも大きい。
【００５４】
[0086]１つの例示的な実施形態によれば、接続直径８０は、フィルタ取付直径５６の少なくとも２５％だけ、フィルタ取付直径５６よりも大きい。
【００５５】
[0087]１つの例示的な実施形態によれば、フィルタ取付直径５６は、レンズ結合直径７２より少なくとも５ｍｍ大きい。
【００５６】
[0088]１つの例示的な実施形態によれば、フィルタ取付直径５６は、レンズ結合直径７２よりも少なくとも１５ｍｍ大きい。
【００５７】
[0089]１つの例示的な実施形態によれば、フィルタ取付直径５６は、レンズ結合直径７２の少なくとも１０％だけ、レンズ結合直径７２より大きい。
【００５８】
[0090]１つの例示的な実施形態によれば、フィルタ取付直径５６は、レンズ結合直径７２の少なくとも２５％だけ、レンズ結合直径７２より大きい。
【００５９】
[0091]１つの例示的な実施形態によれば、カメラフィルタアダプタキット１は、一般的なカメラ直径およびフィルタ直径の範囲にわたって消費者グレードまたは専門グレードのカメラレンズおよびカメラフィルタ用に提供することができる。レンズ係合具８およびフィルタ保持具１６の各々は、約１０１ｍｍの接続直径８０を有する。レンズ係合具８は、４９ｍｍ、５２ｍｍ、５５ｍｍ、５８ｍｍ、６０ｍｍ、６２ｍｍ、６７ｍｍ、７２ｍｍ、７７ｍｍ、８２ｍｍ、８６ｍｍおよび９５ｍｍから選択されるレンズ結合直径７２を有することができる。同様に、フィルタ保持具１６は、４９ｍｍ、５２ｍｍ、５５ｍｍ、５８ｍｍ、６０ｍｍ、６２ｍｍ、６７ｍｍ、７２ｍｍ、７７ｍｍ、８２ｍｍ、８６ｍｍおよび９５ｍｍから選択されるフィルタ取付直径５６を有することができる。上に列挙した共通サイズのいずれか１つのレンズ直径を有するカメラレンズを、上に列挙した共通サイズのいずれか１つのフィルタと共に使用することができることが理解されよう。接続直径８０は、フィルタおよびレンズの最大直径よりも少なくとも５ｍｍ大きく、フィルタおよびレンズの最小直径の２倍より大きいことが理解されよう。
【００６０】
[0092]別の例示的な実施形態によれば、カメラフィルタアダプタキット１は、一般的なカメラ直径およびフィルタ直径の範囲にわたる専門グレードまたは特殊カメラレンズおよびカメラフィルタ用に提供されてもよい。レンズ係合具８およびフィルタ保持具１６の各々は、約１５０ｍｍの接続直径８０を有する。レンズ係合具８は、６７ｍｍ、７２ｍｍ、７７ｍｍ、８２ｍｍ、８６ｍｍ、１０５ｍｍ、１０７ｍｍ、１１２ｍｍ、１２２ｍｍ、１２５ｍｍ、１２７ｍｍおよび１３８ｍｍから選択されるレンズ結合直径７２を有することができる。同様に、フィルタ保持具１６は、６７ｍｍ、７２ｍｍ、７７ｍｍ、８２ｍｍ、８６ｍｍ、１０５ｍｍ、１０７ｍｍ、１１２ｍｍ、１２２ｍｍ、１２５ｍｍ、１２７ｍｍおよび１３８ｍｍから選択されるフィルタ取付直径５６を有することができる。
【００６１】
[0093]さらに別の例示的な実施形態によれば、カメラフィルタアダプタキット１は、一般的な直径およびフィルタ直径の範囲にわたって消費者グレードまたはレクリエーショングレードのカメラレンズおよびフィルタ用に提供されてもよい。レンズ係合具８およびフィルタ保持具１６の各々は、約８４ｍｍの接続直径８０を有する。レンズ係合具８は、３７ｍｍ、４３ｍｍ、４６ｍｍ、４９ｍｍ、５２ｍｍ、５５ｍｍ、５８ｍｍ、６０ｍｍ、６２ｍｍ、６７ｍｍ、７２ｍｍおよび７７ｍｍのレンズ結合直径を有することができる。同様に、フィルタ保持具１６は、３７ｍｍ、４３ｍｍ、４６ｍｍ、４９ｍｍ、５２ｍｍ、５５ｍｍ、５８ｍｍ、６０ｍｍ、６２ｍｍ、６７ｍｍ、７２ｍｍおよび７７ｍｍから選択されるフィルタ直径５６を有することができる。
【００６２】
[0094]共通のカメラレンズおよびフィルタサイズのリストが上記で提供されているが、他のサイズの接続直径８０、フィルタ取付直径５６およびレンズ結合直径７２がキット１内で使用されてもよいことが理解される。
【００６３】
[0095]様々な例示的な実施形態によれば、カメラフィルタアダプタキット１は、２つ以上のレンズ係合具８および／または１つより多くのフィルタ保持具１６を含むことができる。レンズ係合具８およびフィルタ保持具１６は、すべて同じ接続直径８０を有するが、異なるフィルタ取付直径５６および／またはレンズ結合直径７２を有することができる。したがって、カメラフィルタアダプタキット１は、異なるサイズの複数のカメラレンズ２４０および／または異なるサイズの複数のカメラフィルタ２４８と共に使用するために準備される。
【００６４】
[0096]カメラフィルタをカメラレンズに取り付ける方法によれば、本明細書に記載のフィルタ保持具１６が提供され、本明細書に記載のレンズ係合具８が提供される。カメラフィルタは、フィルタ保持具１６に取り付けられている。レンズ係合具８はカメラレンズに取り付けられている。次いで、フィルタ保持具１６は、それぞれの接続部３２、４８の接続を介してレンズ係合具８にロック係合される。使用中のカメラフィルタを交換するために、フィルタ保持具１６をレンズ係合具８から係合解除し、使用する他のフィルタを有するフィルタ保持具１６をカメラのレンズにまだ取り付けられているレンズ係合具８にロック係合させる。他のフィルタは、異なるフィルタ直径２５６を有することができる。使用されるカメラフィルタは、レンズに取り付けられた構成要素を変更することなく交換することができることが理解されよう。具体的には、レンズ係合具８のカメラレンズ２４０への装着を維持したまま、カメラフィルタを交換する。
【００６５】
[0097]好適には、カメラフィルタアダプタキット１の様々な例は、プロジェクトのために取得または運ばれる必要があるフィルタの数を減らすことを可能にする。カメラフィルタのフィルタ直径をレンズ直径に合わせなければならず、カメラレンズの直径ごとに異なるタイプの組のフィルタを取得／運搬しなければならない、一般的な状況では、必要な構成要素の数は、レンズの直径の数とフィルタのタイプの数との積である。例えば、異なる直径の３つのレンズが使用され、４つの異なるタイプのフィルタが必要とされる場合、合計３×４＝１２のフィルタが必要とされる。対照的に、本明細書に記載の様々なカメラフィルタアダプタキットによれば、異なるタイプのフィルタの単一のセットがすべてのレンズに使用されてもよい。
【００６６】
[0098]好適には、カメラフィルタアダプタキット１の様々な例は、使用中にカメラフィルタの交換を容易にする。フィルタの直径をレンズの直径に合わせなければならない状況では、使用者は選択されたフィルタの直径がカメラレンズのレンズ直径と一致することを確認しなければならない。対照的に、本明細書に記載の様々なカメラフィルタアダプタキットによれば、この識別は、レンズ係合具の接続直径と一致する接続直径を有するすべてのフィルタ保持具では必要ない。
【００６７】
[0099]さらに、ユーザに対する不満の共通原因は、例えばカメラフィルタのねじ込みおよびねじ緩めを適用することによって、カメラレンズに直接取り付けられたカメラフィルタを操作する必要があることが観察された。好適には、カメラフィルタアダプタキット１の様々な例は、フィルタ保持具とレンズ係合具のそれぞれの接続部を係合および係合解除するだけで、カメラレンズに取り付けられたレンズ係合具を取り外すことなくカメラフィルタを交換する作業を単純化することができる。
【００６８】
[0100]  上記の説明は、実施形態の例を提供しているが、記載された実施形態のいくつかの特徴および／または機能は、記載された実施形態の動作の精神および原理から逸脱することなく変更可能であることを理解されたい。したがって、上述したものは、例示的かつ非限定的であるように意図されており、当業者には、添付の特許請求の範囲に定義される本発明の範囲から逸脱することなく、他の変形および修正を行うことができることが理解されよう。
【図１】
0006987777.tif 000002
【図２】
0006987777.tif 000003
【図３】
0006987777.tif 000004
【図４】
0006987777.tif 000005
【図５】
0006987777.tif 000006
【図６】
0006987777.tif 000007
【図７】
0006987777.tif 000008
【図８】
0006987777.tif 000009
【図９Ａ】
0006987777.tif 000010
【図９Ｂ】
0006987777.tif 000011
【図９Ｃ】
0006987777.tif 000012
【図９Ｄ】
0006987777.tif 000013
【図９Ｅ】
0006987777.tif 000014
【図９Ｆ】
0006987777.tif 000015
【図１０Ａ】
0006987777.tif 000016
【図１０Ｂ】
0006987777.tif 000017
【図１０Ｃ】
0006987777.tif 000018
【図１０Ｄ】
0006987777.tif 000019
【図１０Ｅ】
0006987777.tif 000020
【図１０Ｆ】
0006987777.tif 000021
【図１１Ａ】
0006987777.tif 000022
【図１１Ｂ】
0006987777.tif 000023
【図１１Ｃ】
0006987777.tif 000024
【図１１Ｄ】
0006987777.tif 000025
【図１１Ｅ】
0006987777.tif 000026
【図１１Ｆ】
0006987777.tif 000027
【図１２】
0006987777.tif 000028
【図１３】
0006987777.tif 000029
【図１４】
0006987777.tif 000030
【図１５】
0006987777.tif 000031
【図１６】
0006987777.tif 000032
【図１７】
0006987777.tif 000033